(57)【要約】      （修正有）【課題】横断歩行者が横断する状態において、起動スイッチを押鉛により信号灯、警告棒と旗、そしてブザーが作動して警告、警報、遮断となる機能手段から、歩行者と自動車運転者の双方に明確なる合図を送ることにより、交通事故を未然に防止する為の、横断歩道路用信号装置を提供する。【解決手段】構造として、本体１を円筒形状としながら中心に回転軸１８，１９を設けて、上部に２段構成の警告棒１０，１１と旗８を組み合わせ、機能として、横断路前側を０度、車道側を９０度に条件設定し、各電動機により単独９０度反復作動、各照明灯ブザーを電気制御系により自動動作とすることを特徴とする。【選択図】図１
0003192521.tif 000002
【実用新案登録請求の範囲】
【請求項１】
横断歩道路適合地に本考案の横断歩道路用信号装置（Ａ）を、固定ボルト（１２）により路面設置としながら、構造として、一部箇所を除き円筒型小型形状とした本体（１）の上部に信号灯（１７）を設け、２段構造の所定長さの警告棒ａ（１０）、警告棒ｂ（１１）と旗（８）を各組み合わせ、地面と水平に設置とすることで遮断機能としてあり、歩行者（Ｂ）が起動スイッチ（１５）を押鉛することにより、各警告棒と旗が軸受け部（４）を基準に、二重構造とした回転軸ａ（１８）、回転軸ｂ（１９）を中心に、電動機ａ（３）と電動機ｂ（５）が伝導部（２）の伝達により駆動動作となる機構から、各警告棒と旗は、歩行者（Ｂ）側位置である０度から９０度の車道（Ｄ）側へ、時計回りに単独回転動作とせしめ、停止後、時限設定時間経過で車道（Ｄ）側位置である９０度から０度の歩行者（Ｂ）側へ、反時計回りに単独回転動作とする二位置切換え動作とせしめた機構を大きな特長としてあり、各警告棒先端の照明灯（９）、そして信号灯（１７）内に照明灯とブザー内蔵を有した構成から、点滅点灯を警告とし、ブザーの断続音を警報とした機能により、歩行者（Ｂ）、そして自動車（Ｃ）運転者双方に合図を送り、一連の自動動作を下部に設けてた電気制御部（１３）により行い、尚電源は内蔵型でバッテリーは充電式方法とし、昼夜を問わず稼動が可能としてある横断歩道路用信号装置。
【考案の詳細な説明】
【技術分野】
【０００１】本考案は、大型商業施設及び工場等の駐車場地において、歩行者が車道を横断する場合、車道に白線により標識されてある横断歩道路を、目視確認されての横断歩行であるため、この実体から、横断歩道地路面前に遮断用警告棒と旗、そして警報ブザー付き装置を設置して、信号と警告棒、そして旗により確認せしめて横断歩行の誘導とする。
【背景技術】
【０００２】頻度の高い横断歩道路の場合、現状は警備者、或いは交通整理者が旗により歩行者の横断誘導手段として取り入れている場所もあるが、実態は警備者または交通整理者不在地が多く、歩行者が目視確認により横断歩道の状況下である。
【先行技術文献】
【０００３】
【特許文献１】  公開実用新案出願  平５−７６６３５、  公開  平５−４１６９７
【得許文献２】
【考案の概要】
【考案が解決しようとする課題】
【０００４】特に、歩行者である子供、高齢者を優先的としながら、人を車から守る解決方法として、屋内外横断歩道路の対象地に、警告、警報で、人と車双方への合図を送ることにより横断条件とし、警備者、交通整理者を不要とした昼夜稼動可能な、小型で安価な信号装置を設置することにより課題を解決しようとしてある。
【課題を解決するための手段】
【０００５】敷地内に設けてある横断歩道路適合地に、構造として、１本体に各部品を構成してあるＡ本考案の横断歩道用信号装置を設置することにより、交通事故を未然に防止とする目的課題から、Ｂ歩行者が、Ｅ横断用白線地を横断する場合に、目の前に上下２段構成の警告棒と旗が存在されているため横断が不可能である合図とせしめ、横断するための条件として、１６スイッチボックスに設けてある１５起動スイッチを押鉛することにより、１７信号灯と内蔵ブザー、そして各警告棒先端の９照明灯が点滅、同時にブザーが断続発音され、二重構造の１８回転軸ａにより１１警告棒ｂと８旗が、０度の位置からＤ車道方向に路面に対して水平移動され、９０度角度で停止となる機能から、警告、警報を発しながら、Ｃ自動車の運転者に走行停止とせしめる合図を送り、続いて１９回転軸ｂにより１０警告棒ａと８旗が、１１警告棒ｂと８旗と同一動作になることにより、Ｃ自動車が停止である状況によって、Ｂ歩行者が横断可能となり、後、任意時限設定の時間経過後、１０警告棒ａと８旗が９０度から０度方向に反転移動され０度に戻り、Ｂ歩行者を横断停止とせしめ、続いて１１警告棒ｂと８旗が同一動作となり、後、各照明灯及び信号灯が消灯、同時にブザーが消音により自動動作が終了となるため、Ｂ歩行者が横断停止状況により、Ｃ自動車が走行可能となる、二位置切換え動作を有した機構しくみから、詳細の機能動作しくみについては図４参照とし、警備者と交通整理者を必要とせず昼夜を問わず、歩行者が横断歩道路を渡ることが可能とせしめ、解決手段としてあり、尚一連の自動動作については、遠隔地設置等により１３電気制御部に設けてある電気回路と充電式バッテリーによって制御としてあり、１４表示灯はバッテリーの残度表示としてある。
【考案の効果】
【０００６】信号装置に警告棒と旗を設けての反復動作と、信号灯及び警告棒先端に設けてある照明灯点滅、そしてブザー発音の断続音により、警告、警報、そして遮断を歩行者と運転者双方に合図として送ることにより、交通誘導者を必要としない、そして天候に左右されず昼夜稼動可能なる、交通事故を未然に防止とする効果が発揮される。
【図面の簡単な説明】
【０００７】
【図１】  本考案の正面図である。
【図２】  左側面図である。
【図３】  設置実施例平面図である。
【図４】  動作の機能条件しくみである。
【考案を実施するための形態】
【０００８】以下本考案の実施形態について図面を参照しつつ説明する。
図１は正面図、図２は左側面図、図３は設置実施例平面図、図４は動作の機能条件しくみ、としながら、
円筒形状構造であるＡ本考案装置を、横断歩道路地において歩道方向の白線手前右側に、位置ズレ及び倒れ防止対策とするため、１２固定ボルトにより地面に固定とし、１本体に各部品を組み合わせとし、中心に４軸受け部を基準とした回転機構を設け、１０警告棒ａと８旗を６ホルダーよっての１９回転軸ｂとの接続構成から５電動機ｂと２伝導部により回転を得てあり、同じく１１警告棒ｂと８旗を７ホルダーｂで１８回転軸ａと接続、３電動機ａと２伝導部によって回転を得る構成形態としてあり、その動作をＥ横断用白線手前位置を０度に、Ｄ車道側を９０度反転位置とした基本条件としてあり、尚図３記載の符号についてθ１及びθ２は各側角度調整範囲としてある形態。
【実施例】
【０００９】別紙図３での参考事例としての形態から、敷地内に設けてある横断歩道路地に設置実施とする。
【産業上の利用可能性】
【００１０】私有地内の各商業施設、及び工場の適合地に本考案装置を設置とすることにより、交通事故を未然に防止とする役割効果が期待できる。
【符号の説明】
【００１１】１    本体
２    伝導部
３    電動機ａ
４    軸受け部
５    電動機ｂ
６    ホルダーａ
７    ホルダーｂ
８    旗
９    照明灯
１０  警告棒ａ
１１  警告棒ｂ
１２  固定ボルト
１３  電気制御部
１４  表示灯
１５  起動スイッチ
１６  スイッチボックス
１７  信号灯
１８  回転軸ａ
１９  回転軸ｂ
Ａ    本考案の横断歩道用信号装置
Ｂ    歩行者
Ｃ    自動車
Ｄ    車道
Ｅ    横断用白線
θ１  ０度側角度調整範囲
θ２  ９０度側角度調整範囲
【図１】
0003192521.tif 000003
【図２】
0003192521.tif 000004
【図３】
0003192521.tif 000005
【図４】
0003192521.tif 000006